(57)【要約】【課題】自動販売機の移動広告装置を提供する簡単な構成でありながら、昼夜を問わず消費者の視線に確実に飛び込むことができ、視線を誘導して購買意欲を高めることができる自動販売機の移動広告装置を提供する。【解決手段】自動販売機２に取付けられて、消費者の接近を検知する近接センサ３と、移動広告物４を移動可能に支持するガイド５と、前記移動広告物４を移動させる動力を供給するアクチュエータ６と、前記近接センサ３が消費者の近接を検知するときにアクチュエータ６を駆動する電力を供給することにより移動広告物４を移動させる制御部７とを備える。【選択図】図１
0003193971.tif 000002
【実用新案登録請求の範囲】
【請求項１】
自動販売機に取付けられて、消費者の接近を検知する近接センサと、移動広告物を移動可能に支持するガイドと、前記移動広告物を移動させる動力を供給するアクチュエータと、前記近接センサが消費者の近接を検知するときにアクチュエータを駆動する電力を供給することにより移動広告物を移動させる制御部とを備えることを特徴とする自動販売機の移動広告装置。
【請求項２】
前記制御部を自動販売機の既存電源に接続して電力を得る割り込みカプラと、前記制御部によって制御されたタイミングで自動販売機内の照明に電力供給を行なう照明用カプラとを備えることにより、既存の自動販売機に取付け可能に構成されており、前記制御部は前記近接センサが消費者の接近を検知するときに移動広告物を移動させると共に前記照明を点滅制御するものである請求項１に記載の自動販売機の移動広告装置。
【請求項３】
前記移動広告物が自動販売機の設置場所に合わせてデザインされた物であり、前記制御部は移動広告物の動作に合わせた音を発生させる発音部を備える請求項１または請求項２に記載の自動販売機の移動広告装置。
【請求項４】
前記移動広告物は電車を模してデザインされており、前記ガイドは１１０〜１８０ｃｍ程度の高さの商品表示棚の中段に取付けられるレールであり、かつ、前記近接センサは７０〜１００ｃｍ程度の高さの位置に取付けられている請求項１〜請求項３のいずれかに記載の自動販売機の移動広告装置。
【考案の詳細な説明】
【技術分野】
【０００１】
本考案は、自動販売機の移動広告装置に関するものであり、より詳細には、飲料品、嗜好品などの商品を販売する自動販売機において消費者の視線を誘導して商品の購買を促進させる移動広告装置に関するものである。
【背景技術】
【０００２】
従来より、自動販売機にはその前面、側面、内部などに消費者の視線を引き寄せるポスターなどの広告を施すことが行なわれており、この広告の注目度により商品の販売促進が行なわれている。
【０００３】
例えば、下記特許文献１には非接触センサによって人の接近を検知するときに広告表示シートを旋回移動させることにより、消費者の視線を誘導する自動販売機の広告表示装置が記載されている。
【０００４】
特許文献２には周囲が暗くなり商品購入期待者を検出するときに、投影機を用いて床面に画像を投影する自動販売機が記載されている。
【先行技術文献】
【特許文献】
【０００５】
【特許文献１】特開平１０−１１６０４１号公報
【特許文献２】特開２０１３−８０３１６号公報
【考案の概要】
【考案が解決しようとする課題】
【０００６】
しかしながら、上述の自動販売機およびその広告表示装置では、消費者の視線を効果的に誘導することが難しかった。すなわち、引用文献１のような広告表示装置では、平面状に表示させた広告表示シートを旋回させているだけであるから、消費者がこの広告表示シートに注目していない限りその旋回によって広告表示が上下方向に移動していることを確認することは難しかった。
【０００７】
また、引用文献２のような自動販売機は、周囲が暗くなっていない限り投影機から投影された映像が見えないという問題があり、とりわけ、常に明るい場所に設置された自動販売機ににおいてはあまり効果的な宣伝とはならなかった。
【０００８】
本考案は上述の事柄を考慮に入れてなされたものであり、簡単な構成でありながら、昼夜を問わず消費者の視線に確実に飛び込むことができ、視線を誘導して購買意欲を高めることができる自動販売機の移動広告装置を提供することを課題とする。
【課題を解決するための手段】
【０００９】
前記課題を解決するため、本考案は、自動販売機に取付けられて、消費者の接近を検知する近接センサと、移動広告物を移動可能に支持するガイドと、前記移動広告物を移動させる動力を供給するアクチュエータと、前記近接センサが消費者の近接を検知するときにアクチュエータを駆動する電力を供給することにより移動広告物を移動させる制御部とを備えることを特徴とする自動販売機の移動広告装置を提供する。（請求項１）
【００１０】
前記構成によれば、近接センサが消費者の接近を検知するときに、制御部がアクチュエータに電力を供給して移動広告物を移動させることにより、消費者の視線を移動広告物に引きつけることができ、その購買意欲を高めることができる。とりわけ、前記ガイドは消費者から目立つ任意の位置に配置できるだけでなく、ガイドをどのように配置するかによって、移動広告物の移動方向も設定できるので、消費者の視線をさらに引きつけるような配置を行なうことができる。
【００１１】
前記近接センサは発光部から発光し消費者などの障害物によって反射する（赤外光を含む）光を受光することにより消費者の接近を検知する距離センサであることにより、比較的安価なセンサによって消費者の位置を正確に測定でき、例えば９０ｃｍ以内に近接した状態を確実に検知することができる。しかしながら、焦電センサなど、人体から発する赤外光の変化を用いて消費者の接近を検知するものであっても比較的安価な構成にて消費者の接近を検知できる。なお、近接センサとして可視光カメラによって撮像した映像を解析することにより消費者の接近を検知するものであってもよい。さらに、近接センサとして自動販売機の外側に配置する超音波センサなどを用いてもよい。
【００１２】
前記アクチュエータは前記移動広告物に連結し前記ガイドの長手方向に張り延したベルトと、回転力をベルトに供給して駆動するモータとを備えるものであることが考えられる。しかしながら、移動広告物そのものにアクチュエータとしてのモータを取付けてガイドに沿って自走するようにしてもよい。
【００１３】
前記ガイドはたとえば自動販売機の商品ダミーの陳列棚の中段で、かつ、商品ダミーを隠さない位置に配置され、長手方向にスリットが形成された筒状のレールに沿って移動することにより、子供を含む消費者の視線にも入りやすく、その動きに視線を誘導できるものであることが好ましい。なお、レールはビス止めによってしっかりと自動販売機の内壁に取り付けられるものであることが好ましい。
【００１４】
制御部は消費電力を抑えたワンチップのマイクロコンピュータであることが好ましく、自動販売機の外部から見えないか目立たない位置にマグネットなどによって吸着固定されるものであることが好ましい。前記消費者の近接は、消費者が移動広告物を確認できる範囲内（約９０ｃｍ以内）に近接した状態を、自動販売機の前を小走りに移動する人が通過する程度の時間以上連続して持続するときに検知することができる。
【００１５】
なお、一般的な近接センサは反射物の検知に所定の遅れ時間が発生するので、この遅れ時間以内の短い間だけ近づく反射物については検知することはない。すなわち、自動販売機の前を小走りに移動する人を検知することはないので、制御部は近接センサが消費者の近接を検知すると即時に移動広告物を移動させることにより、自動販売機に接近している消費者のみを容易に判別して、この消費者の視線を効果的に移動広告物に引きつけて購買意欲を高めることができる。
【００１６】
前記制御部による移動広告物の移動はガイドの端から端まで往復移動させるものであることにより、移動広告物の移動幅を大きくすることができ、これによって動きを目立たせることができる。しかしながら特に販売を促進したい商品の前で停止して注目させるなどの意図を持った動作をさせることがより好ましい。他方、移動広告物の移動はランダムに進行方向を変えさせるものであることにより、面白味を持たせて消費者を引きつけることも可能である。
【００１７】
前記制御部を自動販売機の既存電源に接続して電力を得る割り込みカプラと、前記制御部によって制御されたタイミングで自動販売機内の照明に電力供給を行なう照明用カプラとを備えることにより、既存の自動販売機に取付け可能に構成されており、前記制御部は前記近接センサが消費者の接近を検知するときに移動広告物を移動させると共に前記照明を点滅制御するものである場合（請求項２）には、既存の自動販売機に極めて容易に取付けることができる。
【００１８】
また、前記照明用カプラを自動販売機内の照明に接続することにより、制御部が消費者の接近を検知するときに自動販売機内の既存の照明を点滅制御することができ、移動広告物にさらに注目させることができる。なお、消費者が近くにいないときには自動販売機内の照明を消灯させるかごく僅かな照明だけ点灯させるようにすることにより、夜間の光害を防ぐことができると共に省エネルギーにも寄与する。
【００１９】
なお、一般的に自動販売機内の照明は例えば蛍光灯であるが、蛍光灯は点灯時に多くの消費電力を消費するものであるから、照明の点滅制御を行う場合には別途の発光ダイオードなどを用いて消費者が接近したときに点灯または点滅させる照明を設けても良い。
【００２０】
前記移動広告物が自動販売機の設置場所に合わせてデザインされた物であり、前記制御部は移動広告物の動作に合わせた音を発生させる発音部を備える場合（請求項３）には、自動販売機を設置する場所に合わせて消費者の好みに合わせたふさわしい移動広告を行なうことができる。同様に、発音部が移動広告物の動作に合わせた音を発生することにより、消費者はさらに移動広告物に引き寄せられる。
【００２１】
例えば、自動販売機を高速道路のサービスエリアやパーキングエリアに配置する場合には、移動広告物は車を模してデザインされたものであり、前記発音部は交通安全の呼びかけを音声によって行なってもよい。さらに、自動販売機をカー用品店に配置する場合は移動広告物を車として、キャンペーンＰＲを行なうようにしてもよい。他方、自動販売機を小売店に配置する場合には移動広告物は洋服や季節ものの飾りとして催し物のＰＲを行なわせてもよい。
【００２２】
前記移動広告物は電車を模してデザインされており、前記ガイドは１１０〜１８０ｃｍ程度の高さの商品表示棚の中段に取付けられるレールであり、かつ、前記近接センサは７０〜１００ｃｍ程度の高さの位置に取付けられている場合（請求項４）には、駅に配置することにより、電車を模したデザインの移動広告物が消費者の注意を引き付けることができる。前記近接センサは７０〜１００ｃｍ程度の高さ（最適は１００ｃｍ）に取付けられているので、電車に引き寄せられやすい子供の近接を確実に捕らえて移動広告物に引きつけ、その視線を効果的に捕らえて購買意欲を促進できる。
【００２３】
なお、移動広告物が電車を模したデザインであるときは、前記発音部は電車の発車音や汽笛などを模したものであることが好ましい。移動広告物の移動範囲は１１０〜１８０cm程度（最適は１４０ｃｍ）の高さに取付けられるものであることが好ましい。
【考案の効果】
【００２４】
前述したように、本考案によれば、自動販売機の前に消費者が立つときにガイドに沿って移動する移動広告物が、消費者の視線を効果的に捕らえて購買意識を高めることができる。つまり、移動する立体的な広告物は昼夜を問わず消費者の視線を確実に捕らえることができ、それだけ確実な宣伝効果を得ることが出来る。
【００２５】
加えて、自動販売機の照明が点滅することにより、消費者の注目をさらに集めることができる。とりわけ、消費者が子供であってもその近接を検知して、その視点からも容易に確認できる移動広告物を移動させることにより、子供が移動広告物に引き寄せられて購買意欲が高められることにより自動販売機の売り上げ向上を図ることができる。
【図面の簡単な説明】
【００２６】
【図１】本考案の第一実施形態に係る自動販売機の移動広告装置の全体構成を示す図である。
【図２】前記自動販売機の移動広告装置の概略を示すブロック図である。
【図３】前記自動販売機の移動広告装置の細部の構成を示す図である。
【図４】第二実施形態に係る自動販売機の移動広告装置の全体構成を示す図である。
【図５】前記自動販売機の移動広告装置の概要を示すブロック図である。
【図６】第三実施形態に係る自動販売機の移動広告装置の構成を示す図である。
【考案を実施するための形態】
【００２７】
以下、図１〜図３を用いて、本考案の第一実施形態に係る自動販売機の移動広告装置１の構成および動作を説明する。
【００２８】
図１〜図３に示す自動販売機の移動広告装置１は、自動販売機２に取付けられて、消費者の接近を検知する近接センサ３と、移動広告物４を長手方向に移動可能に支持するレールからなるガイド５と、前記移動広告物４を移動させる動力を供給するアクチュエータ６と、前記近接センサ３が消費者の近接を検知するときにアクチュエータ６を駆動する電力を供給することにより移動広告物を移動させる制御部７とを備える。
【００２９】
前記自動販売機２は商品ダミー８の陳列棚２Ａ，２Ｂ，２Ｃと、商品選択ボタン２Ｄと、広告表示窓２Ｅと、商品取り出し口２Ｆと、コイン投入口２Ｇと、紙幣投入口２Ｈと、返却レバー２Ｉと、釣り銭返却口２Ｊとを備える。また、前記陳列棚２Ａ，２Ｂ，２Ｃには商品ダミー８を照らす蛍光灯による照明２Ｋを設けている。
【００３０】
図２に示すように、本実施形態の自動販売機の移動広告装置１は、既存の自動販売機２に取付け可能に構成されており、前記制御部７を自動販売機２の既存電源９と自動販売機制御部１０の間に接続して電力を得る割り込みカプラ１１と、既存自動販売機においては自動販売機制御部１０に接続されている照明２Ｋを取り外して制御部７に接続する照明用カプラ１２とを備え、この照明用カプラ１２を介して、前記制御部７によって制御されたタイミングで自動販売機２内の照明２Ｋに電力供給を行なうことにより、照明２Ｋの点灯および消灯を制御可能に構成している。
【００３１】
本実施形態に示す自動販売機２は一例として駅に設置されるものであり、自動販売機の移動広告装置１の移動広告物４は、子供の視点でも容易に見ることができる、地上より高さ１１０〜１８０ｃｍの位置に配置された２段目の陳列棚２Ｂにおいて、どの商品ダミー８も隠すことなく、移動可能となるようにガイド５を取付ける。なお、子供も含めて消費者の視線を捕らえやすい位置は最適は地上より１４０ｃｍの高さである。
【００３２】
同様に、子供を含めて消費者の接近を検知する近接センサ３は、赤外線を発光する発光部と反射物（消費者）によって反射した赤外光を受光する受光部とを備え、受光する赤外光の強度から受光までの距離を用いて距離を測定する測距モジュールで、広告表示窓２Ｅ内の、地上より高さ７０〜１００ｃｍの位置（本例では１００ｃｍの位置）に取付けられる。近接センサ３は、約９０ｃｍ以内に消費者（反射物）が存在する時に電気信号を出力する物であり、例えばＬ字型ステーなどを用いてねじ止めによって取付けられる。
【００３３】
駅に配置される移動広告物４は電車を模してデザインされた物であり、最適は電車の模型であって、移動広告物４が設置場所に合わせたデザインであることにより消費者の好みに合わせた宣伝を行なうことができる。とりわけ、移動広告物４は自動販売機を設置する路線を走行する希少価値の高い電車や汽車を模したデザインであれば、さらに高い宣伝効果を得ることができる。
【００３４】
図３は前記ガイド５およびアクチュエータ６の構成を詳述する図である。すなわち、ガイド５はその上面の長手方向にスリット（図示していない）を形成した断面矩形の略筒体のレールであり、少なくともその長手方向の両端に自動販売機２の壁面にビス止めするためのステー５Ａ、５Ｂを有する。
【００３５】
前記アクチュエータ６はステッピングモータなどの回転力を供給するモータ６Ａと、減速ギアボックス６Ｂと、モータ６Ａからの回転力を受けて回転する駆動プーリ６Ｃと、従動プーリ６Ｄと、これらのプーリ６Ｃ，６Ｄ間に巻回される駆動ベルト６Ｅと、この駆動ベルト６Ｅに連結すると共にガイド５に沿って摺動自在に取付けられる移動台６Ｆとを備える。従って、移動台６Ｆ上に移動広告物４を搭載した状態でアクチュエータ６を駆動することによりガイド５に沿って移動広告物４を移動させることができるように構成している。なお、前記従動プーリ６Ｄには駆動ベルト６Ｅに掛かる張力を調整する張力調節部を備える。
【００３６】
前記制御部７は処理部７Ａと、電源スイッチ７Ｂと、電源投入時に点灯するＬＥＤなどからなるパイロットランプ７Ｃと、任意の音を発生させる発音部７Ｄとを備え、例えば磁石によって自動販売機の壁面の目立たない位置に吸着させて取付けることができるように構成している。
【００３７】
処理部７Ａは省電力のマイクロコンピュータを中心に形成され、前記近接センサ３が消費者を検知した時点で前記アクチュエータ６に電力を供給して移動広告物４を任意の方向に移動させることができるようにプログラムされている。同時に、前記処理部７Ａは自動販売機２の照明２Ｋを点灯させて消費者の注目を集め、さらには、移動広告物４の動作に合わせて前記発音部７Ｄから動作音を発生させることができるようにプログラムされている。本実施形態の場合、移動広告物４が電車に模してデザインされた物であるから、移動広告物４の移動開始時の警告音やインバータの動作音、駅員のアナウンスに似せた音を発音部７Ｄから発生させることができる。
【００３８】
前記移動広告物４はガイド５の端から端まで往復させることにより動作を大きくして消費者の視線を効果的に誘導するようしても良いが、本実施形態の移動広告物４は、特売商品やおすすめ商品など、とりわけ販売促進対象となる商品の周囲で停止し、発音部７Ｄからおすすめの理由を示す音声を発音させることにより、特売商品やおすすめ商品などを重点的に販売促進するように構成している。
【００３９】
なお、本実施形態ではアクチュエータ６にステッピングモータを用いているので、処理部７Ａからモータ６Ａに供給する電力を適正に制御することにより移動広告物４をガイド５上の移動範囲内を移動させることが可能であるが、モータ６Ａが通常のモータである場合にはリミットスイッチなどを用いて移動広告物４の位置を確認しながら制御することができることはいうまでもない。
【００４０】
本実施形態に示す自動販売機の移動広告装置１は、既存の自動販売機２に容易にとりつけることができ、その取付けも既存のシステムに対するカプラ１１の挟み込みや、既存システムの照明用カプラを移動広告装置１の照明用カプラ１２に付け替えるのみで簡便である。すなわち、前記ガイド５の固定や、近接センサ３の取り付けを行い、制御部７を壁面に吸着させた後に制御部７のスイッチ７Ｂをオン状態に切替えてプログラムを起動させると、起動状態をパイロットランプ７Ｃの点灯により確認することができる。
【００４１】
上述のように自動販売機の移動広告装置１を取付けて、制御部７を動作させると、自動販売機２の照明２Ｋは消灯し、幾つかの商品ダミー８に別途設けられた照明のみが点灯することにより、自動販売機２の消費電力は必要最小限に抑えられる。
【００４２】
次いで、消費者が自動販売機２の前に立つと近接センサ３がこれを検出して制御部７が照明２Ｋを点灯させると共に、移動広告物４（電車）を移動させるべくアクチュエータ６に電力が供給される。また、発音部７Ｄからは軽快なメロディを発生させ、電車４の発車や停車に伴って効果音を発生させる。
【００４３】
なお、本実施形態に示す前記近接センサ３は約９０ｃｍ以内に近づいたことを検知するのに所定の時間を要するので、自動販売機２の前を小走りに移動する人がいたとしてもこれを消費者の接近として検知することはないが、近接センサ３の反応速度が速い場合には、反射物の近接を検知した状態を所定の短い時間（数百ミリ秒など）連続して検知するときに消費者の近接として認識させることも可能である。
【００４４】
さらに、移動広告物４を、特に販売したい商品ダミー８の前で停車させ、発音部７Ｄから販売促進のためのアナウンスを発音させることにより、消費者の購買意欲をさらに高めることができる。場合によっては、照明２Ｋを長い周期で点滅させて消費者の注意をさらに引きつけることも可能である。
【００４５】
制御部７は、近接センサ３が消費者を検知しなくなってから数秒後に、照明２Ｋを消灯させて自動販売機２を待機状態に戻す。これによって、自動販売機２の消費電力を押さえると共に、夜間の自動販売機２の光による光害を防止することも可能である。
【００４６】
上述の実施形態では自動販売機の移動広告装置１を駅に配置する例を示しているが、本実用新案の自動販売機の移動広告装置１は、高速道路のサービスエリアやパーキングエリア、カー用品店などに配置するときには、移動広告物４は車の模型であることにより、その場にいる消費者の関心に合わせて、その視線を効果的に引きつけることができるので好ましい。
【００４７】
図４，図５は第２実施形態の自動販売機の移動広告装置２０の構成を示す図である。図４において、図１〜図３と同じ符号を付した部材は同一または同等の部材であるから、その詳細な構成の説明を省略する。
【００４８】
図４，５において、２１は車の形を模してデザインされた模型からなる移動広告物、２２は移動広告物２１を長手方向に移動可能に支持すると共にアクチュエータへの電源線を備え、断面矩形の筒状体の長手方向にスリットを形成したレールからなるガイド、２３は陳列棚２Ｂに設けた複数のＬＥＤ光源からなる照明である。
【００４９】
また、本実施形態の自動販売機の移動広告装置２１は前記ガイド２２内に設けた電源線を介して制御部７から得られる電力を用いて移動広告物２１内に設けたアクチュエータとしてのモータを駆動して、移動広告物２１をガイド２２に沿って図示左右方向に自走可能に構成している。
【００５０】
本実施形態の自動販売機の移動広告装置２０は、高速道路のサービスエリアやパーキングエリアに配置される物であるから、移動広告物２１は車の模型であることにより、消費者の関心事に合わせてその視線を引きつけることができる。また、制御部７は近接センサ３が消費者の接近を検知するときに移動広告物２１内に設けたモータに電力を供給することにより移動広告物２１を左右方向に移動させて、消費者の注意を更に引きつけることができる。
【００５１】
同時に、制御部７は前記発音部７Ｄから交通安全に関するメッセージを発音させることが可能である。なお、自動販売機の移動広告装置２０をカー用品店に配置する場合にも同じ車の模型からなる移動広告物は消費者の注目を浴びるものとなる。この場合、制御部７は消費者の接近を検知すると発音部７Ｄからキャンペーン宣伝の音声を発生させることができる。
【００５２】
さらに、前記ＬＥＤ光源からなる照明２３を点滅させることにより陳列棚２Ｂの商品を更に目立たせることも可能であり、点滅させるＬＥＤ光源を選択的に行なうことにより特売商品を強調することも可能である。本実施形態のように自動販売機内の照明とは別にＬＥＤ光源などのエネルギ変換効率の高い光源を用いて商品ダミーに照射する光を点滅させることにより、エネルギ消費を抑えながら光を用いた販売促進を効果的に行なうことができる。
【００５３】
図６は第３実施形態の自動販売機の移動広告装置３０の構成を示す図である。図６において図１〜図５と同じ符号を付した物は同一または同等の部材であるから重複説明を省略する。本実施形態の自動販売機の移動広告装置３０は洋服店などの小売店に配置されるものである。
【００５４】
図６において、３１，３２は小売店で扱う洋服や季節ものの洋服を模して形成した移動広告物であり、３３はこの移動広告物３１，３２を移動可能に支持すると共に移動広告物３１，３２を長手方向に移動可能とするガイドとして機能する環状のベルト、３４はこのベルト３３を巻回して支持すると共に回転力を供給するアクチュエータ６として機能する駆動プーリ、３５はベルト３３が巻回されて回動可能に取付けられる従動プーリである。
【００５５】
本実施形態の場合、制御部７は近接センサ３（図１，４参照）によって消費者の接近を検知するときに、駆動プーリ３４を回転させてベルト３３を駆動することにより、ベルト３３の適所に取付けられた移動広告物３１，３２を、ガイドとしてのベルト３３に沿って移動させることができる。小売店においては消費者はその小売店で販売している商品に興味を持つので、図示しているように、洋服などを模して形成した移動広告物３１，３２によって消費者の視線を確実に捕らえて購買意欲を高めることができる。加えて、制御部７は発音部７Ｄから催事場の宣伝などを発音させることにより、小売店の売り上げ向上を図ることも可能となる。
【００５６】
なお、上述の各実施形態において、近接センサ３は赤外光を用いて反射光の強度から距離を測定する測距モジュールである例を示しているが、この測距モジュールに代えて、ＰＳＤ（Position Sensitive Detector）を用いたセンサを用いてもよい。また、近接センサ３は赤外光などの反射光の到達時間を用いて距離を測定する物であっても、超音波を用いた測距モジュールであっても、可視光を撮像した映像を用いて消費者の近接を検知するものであってもよい。
【符号の説明】
【００５７】
１，２０，３０  自動販売機の移動広告装置
２  自動販売機
３  近接センサ
４，２１，３１，３２  移動広告物
５，２２，３３  ガイド
６，３４  アクチュエータ
７  制御部
７Ｄ  発音部
１１  割り込みカプラ
１２  照明用カプラ
【図１】
0003193971.tif 000003
【図２】
0003193971.tif 000004
【図３】
0003193971.tif 000005
【図４】
0003193971.tif 000006
【図５】
0003193971.tif 000007
【図６】
0003193971.tif 000008